(57)【特許請求の範囲】
【請求項１】
テキストデータで構成された複数のテンプレートをグループ分けし、かつ、設定情報の最小種別単位で格納しており、
ＨＴＴＰに従って、通信ネットワークを通じて、グループ単位で上記テンプレートの送信要求を受け付け、そのグループに属するテンプレートをリンクとしたＨＴＭＬデータを送信し、ついで、上記リンクを指定した送信要求を受けつけ、そのリンクに属するテンプレートを送信する要求受付手段と、
送信要求された種別のテンプレートを、その時点における設定情報を記載して、上記ＨＴＴＰに従って上記通信ネットワークに送信する送信手段と、
編集後のテンプレートを所定のプロトコルに従って受信したときには、その編集内容に基づいて、自身の設定情報の変更をする変更手段とを備えるファクシミリサーバ。
【発明の詳細な説明】
【０００１】
【発明の属する技術分野】
本発明は、通信ネットワークを通じて、ＨＴＴＰやＦＴＰなどの所定のプロトコルに従ってテキストデータを受信して、受信したテキストデータで規定された内容に基づき、自身の機器設定をするファクシミリサーバの改良に関する。
【０００２】
【従来の技術】
従来より、ファクシミリサーバは、ＨＴＴＰやＦＴＰなどの所定のプロトコルに従って、自身のＩＰアドレスや電子メールアドレスなどの各種設定情報を記載したテキストデータを受信して、受信したテキストデータで規定された内容に基づき、自身の機器設定をする機能を備えている。
【０００３】
【発明が解決しようとする課題】
ところが、上記した従来のファクシミリサーバでは、このファクシミリサーバの機器設定をするためには、送信すべきテキストデータとして、所定の書式に適合した設定情報を記載しなければならないため、その入力が面倒であり、書式を知らなければ機器設定ができないといった問題があった。
【０００４】
本発明は、上記事情を考慮してなされたものであり、通信ネットワークを通じてテキストデータを送信してファクシミリサーバの機器設定をする作業を、書式を知らないユーザでも、容易に行えることをできるようにしたファクシミリサーバを提供することを目的としている。
【０００５】
【課題を解決するための手段】
上記目的を達成するために、本発明の請求項１に記載のファクシミリサーバでは、テキストデータで構成された複数のテンプレートをグループ分けし、かつ、設定情報の最小種別単位で格納しており、ＨＴＴＰに従って、通信ネットワークを通じて、グループ単位で上記テンプレートの送信要求を受け付け、そのグループに属するテンプレートをリンクとしたＨＴＭＬデータを送信し、ついで、上記リンクを指定した送信要求を受けつけ、そのリンクに属するテンプレートを送信する要求受付手段と、送信要求された種別のテンプレートを、その時点における設定情報を記載して、上記ＨＴＴＰに従って上記通信ネットワークに送信する送信手段と、編集後のテンプレートを所定のプロトコルに従って受信したときには、その編集内容に基づいて、自身の設定情報の変更をする変更手段とを備える。
【０００８】
【発明の実施の形態】
以下に、本発明の実施の形態について、図面とともに説明する。図１は、本発明のファクシミリサーバ１の要部構成の一例を示す図、図２は、ファクシミリサーバ１を用いて構成したファクシミリシステムの構成を示す図である。
【０００９】
ファクシミリサーバ１は、電話回線Ｌを接続するとともに、通信ネットワークとして、通信ネットワークの１つであるＬＡＮ（Ｎ）を接続しており、このＬＡＮ（Ｎ）には、図２に示すように、パーソナルコンピュータで構成されたクライアント２と、インターネットとを接続している。
【００１０】
なお、ここでは、通信ネットワークとしてＬＡＮ（Ｎ）を示しているが、本発明はこの例に限られず、ＷＡＮや専用線などの他の種類のネットワーク、あるいは、ＬＡＮ（Ｎ）とインターネットとの組み合わせといったような、複数種類のネットワークを組み合わせたもので構成してもよい。
【００１１】
ファクシミリサーバ１は、公衆回線網（ＰＳＴＮ）やＬＡＮ（Ｎ）を通じて受信した画像データを、所定のプロトコルに従って、クライアント２や、公衆回線網に接続された他のファクシミリ装置や、インターネットに接続された他のファクシミリ装置に配信することができる。また、ファクシミリサーバ１で読みとった画像データを、所定のプロトコルに従って、クライアント２や、公衆回線網に接続された他のファクシミリ装置や、インターネットに接続された他のファクシミリ装置に送信することができる。
【００１２】
ファクシミリサーバ１は、図１に示すように、以下の各部を制御するＣＰＵ１０と、装置１のＩＰアドレスやメールアドレスなどの各種設定情報を記憶するＲＡＭ１１と、制御プログラムなどを予め記憶したＲＯＭ１２と、原稿から画像データを読み取り、画像データに変換するスキャナ１３と、データを所定の記録紙に記録するプリンタ１４と、電話回線Ｌに対する接続制御をするＮＣＵ１５と、ファクシミリ通信に必要な各種信号を変復調するモデム１６と、液晶画面や各種操作キーなどで構成される操作パネル１７と、データをファクシミリ通信のためにＭＨ，ＭＲ，ＭＭＲ方式などで符号化および復号するＣＯＤＥＣ１８と、ＬＡＮ（Ｎ）をイーサネットなどの規格に準じて接続するＬＡＮインタフェース１９とを備える。
【００１３】
ＲＯＭ１２は、後述する設定処理を可能とするため、設定情報の最小種別単位でテンプレートを複数格納しており、それぞれのテンプレートにはＵＲＬを割り付けてある。なお、それぞれのテンプレートはテキストデータとして格納しており、そのため、テンプレートをＬＡＮ（Ｎ）を通じて送信する送信時間を高速にできる。
【００１４】
このような構成によれば、クライアント２側からテキストデータを送信して、ＲＡＭ１１の記憶内容を設定する作業が、設定のための書式を知らないユーザでも容易にできる。これについて、図３のフローチャートとともに説明する。なお、クライアント２側の処理はブラウザ上で行われる。
【００１５】
インターネットファクシミリ装置１は、ＨＴＴＰに従ってクライアント２との間で通信をして、テンプレートのＵＲＬ指定を受け、ＨＴＴＰに含まれて送信される、クライアント２のＩＰアドレス、ドメイン名、パスワードといった情報を基にして、そのクライアント２の認証をして、指定ＵＲＬに対応するテンプレートをＲＯＭ１２から取り出し、対応する種別における現在の設定情報を記載して送信する。
【００１６】
ここで、ファクシミリサーバ１が、それぞれのテンプレートの設定種別に応じて予めグループ分けして、それぞれのグループ別にグループＵＲＬを割り付けておき、クライアント２から指定されたグループＵＲＬの全テンプレートをそれぞれリンクとしたＨＴＭＬデータを送信し、これを受けたクライアント２が、それぞれのリンクから必要なものを選択したときに、ファクシミリサーバ１がそのリンクに対応するテンプレートを送信するようにしてもよい。
【００１７】
ファクシミリサーバ１から送信されるテンプレートには、図４に示すように、現在の設定情報２０が記載されており、これを受信したクライアント２では、その設定情報２０の内容を任意に編集して設定データを作成し、ＨＴＴＰやＦＴＰといった所定プロトコルに従って、ファクシミリサーバ１に送信する。
【００１８】
すると、ファクシミリサーバ１に設定データが受信され、その設定データの編集内容に基づいて、ＲＡＭ１１の記憶内容を設定、すなわち、自身の機器設定をする。なお、設定データの受信時に、クライアント２から送信されてくるＩＰアドレス、ドメイン名、パスワードといった情報に基づいて、そのクライアント２を認証後に機器設定をするようにしてもよい。
【００１９】
【発明の効果】
以上の説明からも理解できるように、本発明の請求項１に記載のファクシミリサーバでは、送信要求されたテンプレートを通信ネットワークに送信し、そのテンプレートが編集されて送信されたときには、その編集内容に基づいて、自身の設定情報の変更をするので、通信ネットワークを通じてテキストデータを送信してファクシミリサーバの機器設定をする作業を、書式を知らないユーザでも、容易に行えることができる。
【００２０】
更に、テンプレートは、テキストデータとして構成されているので、テンプレートのデータ容量が小さくなり、所定のプロトコルに従って通信ネットワークを通じてテンプレートを送信する速度を高速にできる。
【００２１】
更に、要求受付手段は、設定情報の最小種別単位でテンプレートの送信要求を受け付け、送信手段は、要求受付手段が受け付けた種別に該当したテンプレートを送信するので、必要な設定種別のみに対応したテンプレートを使用することができ、一層容易にファクシミリサーバの機器設定をすることができる。
【図面の簡単な説明】
【図１】本発明のファクシミリサーバの要部構成の一例を示す図である。
【図２】ファクシミリサーバを用いて構成したファクシミリシステムの構成を示す図である。
【図３】ファクシミリサーバの動作について説明するためのフローチャートである。
【図４】テンプレートの構成の一例を示す図である。
【符号の説明】
１・・・ファクシミリサーバ
１０・・・ＣＰＵ
１９・・・ＬＡＮインタフェース
Ｎ・・・ＬＡＮ
【図１】
0004032659.tif 000002
【図２】
0004032659.tif 000003
【図３】
0004032659.tif 000004
【図４】
0004032659.tif 000005